(57)【要約】【課題】各方向からのケーブルがハブの差込口に好適に挿設されるような回転機構とその回転機構を具備するハブを提供する。【解決手段】第１の開孔を有し、第１の位置決め部が設置された第１の部材と、第１の開孔に対応する第２の開孔を有し、第１の位置決め部に対応する第２の位置決め部が設置された第２の部材と、当接部と弾性係止部を有する締め具とを含む回転機構であって、第１、第２の開孔が作動貫通孔として重なり合い、この当接部が作動貫通孔の片側の端縁に当接し、この弾性係止部が作動貫通孔を貫通しこの作動貫通孔のもう一方の端縁に係止することにより、第２の部材が回動し第１の部材に結合されるようにする回転機構を提供するものである。さらに、前記回転機構を具備するハブであって、第１の部材が結合されかつ接続用差込口が設置された第１の回動体と、第２の部材が結合されかつ接続用差込口が設置された第２の回動体とを含むことを特徴とするハブを提供する。【選択図】図１
2008277289.tif 000002
【特許請求の範囲】
【請求項１】
第１の開孔を有し、前記第１の開孔に対応する端縁に第１の位置決め部が設置された第１の部材と、
前記第１の開孔に対応する第２の開孔を有し、前記第２の開孔が前記第１の開孔と作動貫通孔として重なり合い、前記第２の開孔に対応する端縁に前記第１の位置決め部に対応する第２の位置決め部が設置され、前記第１の部材に対して回転することにより、前記第２の位置決め部を前記第１の位置決め部に定位させる第２の部材と、
当接部と弾性係止部を有し、前記当接部が前記作動貫通孔の片側の端縁に当接し、前記弾性係止部が作動貫通孔を貫通し前記作動貫通孔のもう一方の端縁に係止することにより、前記第２の部材が回動し前記第１の部材に結合されるようにする締め具と、
を含むことを特徴とする回転機構。
【請求項２】
前記第１の位置決め部は凸形体であり、前記第２の位置決め部は、前記第２の開孔の周縁に沿って設置されたスライドスロットと、前記スライドスロットの側壁に凹設された複数の定位凹部よりなることを特徴とする請求項１記載の回転機構。
【請求項３】
前記スライドスロットは前記第２の開孔の半分の円周面を回り、前記定位凹部は三つあり、かつそれぞれが前記スライドスロットの両端と中央に設けられることを特徴とする請求項２記載の回転機構。
【請求項４】
前記当接部が前記第１の部材における第１の開孔に当接し、前記弾性係止部が前記第２の部材における第２の開孔に係止することを特徴とする請求項１記載の回転機構。
【請求項５】
前記当接部が前記第２の部材における第２の開孔に当接し、前記弾性係止部が前記第１の部材における第１の開孔に係止することを特徴とする請求項１記載の回転機構。
【請求項６】
前記当接部は円形リングであり、前記弾性係止部は当接部の一側面から延出しその末端が凸ジョイントを有する延長アームであることを特徴とする請求項１記載の回転機構。
【請求項７】
前記第１の部材は前記第１の開孔を回る凸リングをさらに有し、前記第２の部材は前記第２の開孔を回り、前記凸リングに合わせた凹リングをさらに有することを特徴とする請求項１記載の回転機構。
【請求項８】
その一側面の表面に第１の結合部が設置され、かつ少なくとも一つの側面の表面に接続用差込口が設置される第１の回動体と、
その一側面の表面に第２の結合部が設置され、かつ少なくとも一つの側面の表面に接続用差込口が設置される第２の回動体と、
第１の開孔を有し、前記第１の開孔に対応する端縁に第１の位置決め部が設置され、前記第１の位置決め部とは反対の側に、前記第１の結合部に対応し結合される第３の結合部が設置される第１の部材と、
前記第１の開孔に対応する第２の開孔を有し、前記第２の開孔が前記第１の開孔と作動貫通孔として重なり合い、前記第２の開孔に対応する端縁に前記第１の位置決め部に対応する第２の位置決め部が設置され、前記第２の位置決め部とは反対の側に、前記第２の結合部に対応し結合される第４の結合部が設置される第２の部材と、
当接部と弾性係止部を有し、前記当接部が前記作動貫通孔の片側の端縁に当接し、前記弾性係止部が前記作動貫通孔を貫通し前記作動貫通孔のもう一方の端縁に係止することにより、前記第２の部材が前記第１の部材に回動結合され、さらに前記第２回の回動体が前記第１回動体に回動体に回動接合されるようにする締め具と、を含むことを特徴とするハブ。
【請求項９】
前記第１の回動体における第１の結合部は、前記第１の回動体のケーシング体の内側の各コーナーに設置された結合孔であり、前記第１の部材における第３の結合部は、前記第１の部材の一側面の各コーナーに設置された凸ピンであることを特徴とする請求項８記載のハブ。
【請求項１０】
前記第２の回動体における第２の結合部は、前記第２の回動体のケーシング体の内側の各コーナーに設置された結合孔であり、前記第２の部材における第４の結合部は、前記第２の部材の一側面の各コーナーに設置された凸ピンであることを特徴とする請求項８記載のハブ。
【請求項１１】
前記第１の位置決め部は凸形体であり、前記第２の位置決め部は、前記第２の開孔の周縁に沿って設置されたスライドスロットと、前記スライドスロットの側壁に凹設された複数の定位凹部よりなることを特徴とする請求項８記載のハブ。
【請求項１２】
前記スライドスロットは前記第２の開孔の半分の円周面を回り、前記定位凹部は三つあり、かつそれぞれ前記スライドスロットの両端と中央に設けられることを特徴とする請求項１１記載のハブ。
【請求項１３】
前記当接部が前記第１の部材における第１の開孔に当接し、前記弾性係止部が前記第２の部材における第２の開孔に係止することを特徴とする請求項８記載のハブ。
【請求項１４】
前記当接部が前記第２の部材における第２の開孔に当接し、前記弾性係止部が前記第１の部材における第１の開孔に係止することを特徴とする請求項８記載のハブ。
【請求項１５】
前記当接部は円形リングであり、前記弾性係止部は前記当接部の一側面から突出しその末端が凸ジョイントを有する延長アームであることを特徴とする請求項８記載のハブ。
【請求項１６】
前記第１の部材は前記第１の開孔を回る凸リングをさらに有し、前記第２の部材は前記第２の開孔を回り、前記凸リングに合わせた凹リングをさらに有することを特徴とする請求項８記載のハブ。
【発明の詳細な説明】
【技術分野】
【０００１】
本発明は回転固定技術に関するものであり、詳しくは、回転機構とそれを具備するハブに関するものである。
【背景技術】
【０００２】
ハブ（Hub）は、ネットワーク分岐や接続ポートの増設に用いられ、政府機関や学校、会社、家庭で広く使用され、その応用はハブの持つ差込口の数で決定されることがある。
【０００３】
従来、ハブにおける差込口は並列に一列で設置され、各コンピュータからのネットワークケーブルが順にその差込口に挿設され、ケーブルが多い場合、絡み合う現象が多々発生してしまう。
【０００４】
また、ネットワークケーブルに接続されるコンピュータは、ハブの差込口とは反対の方向や異なる高さに位置することがしばしばである。にもかかわらずハブは並列に一列で設置されているため、各方向からのネットワークケーブルの挿設は困難になり、より順調に挿設するために、ケーブルの角度を少し調整しなければならない場合がある。
【０００５】
なお、汎用シリアルバス（ＵＳＢ、Universal Serial Bus）はコンピュータのＵＳＢ差込口の１つを複数に拡充する機能を持ち、現在市販されているＵＳＢハブの多くは、その差込口が並列に一列で設置されたものであるため、ＵＳＢデバイス（例えばＭＰ３プレイヤー）の大きい体積のものだと、こういったデバイスが挿設されると隣接の差込口を塞いで使えなくなるという支障をきたしてしまう。
【０００６】
ハブの差込口がハブの異なる側面に設置される場合、例えば六角形のハブで、その両側に差込口が形成される場合、その片側が全部使用された時に、このハブはもはや移動しにくい状態になり、次のデバイスからのケーブルが適切な角度でもう一方の側の差込口に挿設されることが保障しがたくなる。
【０００７】
そのため、上記の問題点がいかに改善されるかということは、現在考えなければならない課題である。
【発明の開示】
【発明が解決しようとする課題】
【０００８】
本発明はこのような従来技術の問題点を鑑みてなされたものであり、その目的は、各方向からのケーブルがハブの差込口に好適に挿設されるような回転機構とその回転機構を具備するハブを提供することである。
【０００９】
本発明のもう一つの目的は、各差込口がそれぞれ装置に挿設されることで互いに干渉することを回避できるような回転機構とその回転機構を具備するハブを提供することである。
【課題を解決するための手段】
【００１０】
このような目的を達成するために、本発明は、第１の開孔を有し、この第１の開孔に対応する端縁に第１の位置決め部が設置された第１の部材と、第１の開孔に対応する第２の開孔を有し、この第２の開孔が第１の開孔と作動貫通孔として重なり合い、この第２の開孔に対応する端縁に第１の位置決め部に対応する第２の位置決め部が設置され、この第１の部材に対して回転することにより第２の位置決め部を第１の位置決め部に定位させる第２の部材と、当接部と弾性係止部を有し、この当接部が作動貫通孔の片側の端縁に当接し、この弾性係止部が作動貫通孔を貫通しこの作動貫通孔のもう一方の端縁に係止することにより、第２の部材が回動し第１の部材に結合されるようにする締め具と、を含むことを特徴とする回転機構を提供するのである。
【００１１】
本発明はさらに、前記回転機構を具備するハブであって、その一側面の表面に第１の結合部が設置され、かつ少なくとも一つの側面の表面に接続用差込口が設置される第１の回動体と、その一側面の表面に第２の結合部が設置され、かつ少なくとも一つの側面の表面に接続用差込口が設置される第２の回動体と、第１の開孔を有し、この第１の開孔に対応する端縁に第１の位置決め部が設置され、第１の位置決め部とは反対の側には、第１の結合部に対応し結合される第３の結合部が設置される第１の部材と、第１の開孔に対応する第２の開孔を有し、この第２の開孔が第１の開孔と作動貫通孔として重なり合い、この第２の開孔に対応する端縁に第１の位置決め部に対応する第２の位置決め部が設置され、第２の位置決め部とは反対の側には、第２の結合部に対応し結合される第４の結合部が設置される第２の部材と、当接部と弾性係止部を有し、この当接部が作動貫通孔の片側の端縁に当接し、この弾性係止部が作動貫通孔を貫通しこの作動貫通孔のもう一方の端縁に係止することにより、第２の部材が回動し第１の部材に結合されるようにする締め具と、を含むことを特徴とするハブを提供するのである。
【００１２】
従来技術ではハブの具備する差込口が並列に設置されていたため、各方向からのケーブルがハブの差込口に挿設されにくかった。これに比べ、本発明にかかる回転機構とその回転機構を具備するハブは、その第１の回動体と第２の回動体が回動し合えるという特性により、各方向からのケーブルを挿設するようにその回動で第１の回動体や第２の回動体に設置された接続用差込口の開口方向を変え、従来技術のようにＵＳＢハブでは隣接する差込口が互いに干渉するという現象を回避することが可能になる。
【００１３】
また、この回転機構により回動結合される回動体は、第１と第２の回動体に限らず、さらにこの回転機構により他の接続用差込口を持つ回動体が拡充結合されることも可能である。
【００１４】
以上に述べたように、本発明にかかる回転機構とその回転機構を具備するハブは、上記従来技術の問題点を改善することが可能で、高度な産業利用価値を具有するようになる。
【発明を実施するための最良の形態】
【００１５】
以下は、特定の具体的な実施例により本発明の実施形態をより詳しく説明しており、その属する技術の分野における通常の知識を有する者にとって、本明細書に開示された内容から本発明における他のメリットや効果を容易に理解できるものである。
【００１６】
本発明にかかるハブ１は、その一側面の表面に第１の結合部１１０が設置され、かつ少なくとも一つの側面の表面に接続用差込口１０が設置された第１の回動体１１と、その一側面の表面に第２の結合部１２０が設置され、かつ少なくとも一つの側面の表面に接続用差込口１０が設置された第２の回動体１２と、第１の開孔１３０を有し、この第１の開孔１３０に対応する端縁に第１の位置決め部１３１が設置され、第１の位置決め部１３１とは反対の側に、第１の結合部１１０に対応し結合される第３の結合部１３２が設置される第１の部材１３と、第１の開孔１３０に対応する第２の開孔１４０を有し、この第２の開孔１４０が第１の開孔１３０と作動貫通孔１５として重なり合い、この第２の開孔１４０に対応する端縁に第１の位置決め部１３１に対応し結合される第２の位置決め部１４１が設置され、第２の位置決め部１４１とは反対の側には、第２の結合部１２０に対応し結合される第４の結合部１４２が設置される第２の部材１４と、当接部１６０と弾性係止部１６１を有し、この当接部１６０が作動貫通孔１５の片側の端縁に当接し、この弾性係止部１６１が作動貫通孔１５を貫通しこの作動貫通ホール１５のもう一つ片側の端縁に係止することにより、第２の部材１４が第１の部材１３に回動結合されるようにする締め具１６とを含み、第１の部材１３と第２の部材１４と締め具１６からなる回転機構により、第２の回動体１２が第１の回動体１１に回動結合されるようになる。（図１参照）
【００１７】
第１の回動体１１における第１の結合部１１０は、この第１の回動体１１のケーシング体の内側の各コーナーに設置された結合孔であってもよく、第１の部材１３における第３の結合部１３２は、この第１の部材１３の一側面の各コーナーに設置された凸ピンであってもよく、同様に、第２の回動体１２における第２の結合部１２０は結合孔であってもよく、第２の部材１４における第４の結合部１４２は凸ピンであってもよく、かつ、第２の部材１４や第１の部材１３はさらに第２の回動体１２か第１の回動体１１に強く結合するための他の構造を具備してもよく、例えば、この第１の部材１３は、凸ピンを有する側には、第１の回動体１１のケーシング体内部に相対する両側に当接するための弾性片１３３と当接片１３４が設置されてもよい。
【００１８】
この接続用差込口１０は、少なくとも第１の回動体１１、第２の回動体１２が回動軸を回る側面に設けられ、もちろん、この接続用差込口１０も第１の回動体１１、第２の回動体１２の回動軸における両側の側面に設けられても良い。
【００１９】
この第１の位置決め部１３１は凸形体であり、この第２の位置決め部１４１は、第２の開孔１４０の周縁に沿って設置されたスライドスロット１４１０と、そのスライドスロット１４１０の側壁に凹設された複数の定位凹部１４１１からなり、第２の部材１４が第１の部材１３に対して回転することによりこの第２の位置決め部１４１を第１の位置決め部１３１に定位させ、また、このスライドスロット１４１０は、第１の回動体１１が第２の回動体１２に対し１８０度回転できるように第２の開孔１４０の半分の円周面を回る。その定位凹部１４１１は三つあり、かつそれぞれがこの摺動スロット１４１０の両端と中央に設けられる。注意すべきことは、この第１の部材１３及び第２の部材１４の具備する定位構造は、互いに入れ替えて設置することが可能であるということである。（図２参照）
【００２０】
この締め具１６の当接部１６０は円形リングであり、この弾性係止部１６１は当接部１６０の一側面から突出しその末端が凸ジョイントを有する延長アームであり、この当接部１６０が第１の部材１３における第１の開孔１３０に当接することで、その弾性係止部１６１が第２の部材１４における第２の開孔１４０に係止するようになる。また、この当接部１６０が第２の部材１４における第２の開孔１４０に当接することで、その弾性係止部１６１が第１の部材１３における第１の開孔１３０に係止するようになる。
【００２１】
第１の部材１３及び第２の部材１４が回動結合する回動円滑性を高めるため、この第１の部材１３は第１の開孔１３０を回る凸リング１３５をさらに有し、第２の部材１４は第２の開孔１４０を回り、凸リング１３５に合わせた凹リング１４５をさらに有する。
【００２２】
また、第１の開孔１３０と第２の開孔１４０からなる作動貫通孔１５は、前記第１の回動体１１と第２の回動体１２との間に接続される接続ケーブル（図示せず）が通過するためのものである。
【００２３】
前記回転機構により第１の回動体１１と第２の回動体１２が回動結合する原理によれば、同様の方法で順に第３の回動体１７と第４の回動体１８が直列に回動結合されることが可能になり、さらに多数の回動体が継続に拡充結合されることが可能になる。（図３参照）
【００２４】
第１の回動体１１はその長さがより長く、その長手方向の一側面に、接続用差込口１０を具備する摺動体１９に摺動結合される第１の摺動結合部１１１が形成され、この摺動体１９は第１の摺動結合部１１１に対応する第２の摺動結合部１９０を有する。そしてこの第１の摺動結合部１１１は第１の回動体１１の長さに対応する凹溝であり、この第２の摺動結合部１９０はこの第１の摺動結合部１１１の半分の長さを持つ凸リブである。これにより第１の回動体１１の一側面に摺動自在に結合されて、ハブ１の応用の便利性をさらに向上させることが可能である。また、この第１の回動体１１と摺動体１９が摺動結合される側面には、それぞれ接続ケーブル（図示せず）が通過するための開孔１１２、１９１が設けられる。（図４参照）
【００２５】
従来技術ではハブの具備する差込口は並列に設置されていたため、各方向からのケーブルがハブの差込口に挿設されることが困難であった。これに比べ、本発明にかかる回転機構とその回転機構を具備するハブは、その第１の回動体と第２の回動体が互いに回動できるという特性により、各方向からのケーブルを挿設するように第１の回動体や第２の回動体に設置された接続用差込口が回動することによりその開口方向を変え、従来技術のようにＵＳＢハブでは隣接する差込口が互いに干渉するという現象を回避することが可能となった。
【００２６】
さらに、この回転機構により回動結合される回動体は、第１と第２の回動体だけに限らず、さらに第１と第２の回動体にこの回転機構により他の接続用差込口を持つ回動体が継続に拡充結合されることも可能である。
【００２７】
以上に述べたように、本発明にかかる回転機構とその回転機構を具備するハブは、上記従来技術の問題点を改善することが可能で、高度な産業利用価値を具有するようになる。
【００２８】
以上に述べたような具体的実施例は、本発明の特徴や効果を例示し説明するに過ぎず、本発明の実施可能な範囲を限定するわけではなく、本発明の前記に述べた精神や技術的範囲を逸脱することなく、本発明に開示された内容を応用して完成させたものと等価な変更や変形は、下記の特許請求の範囲に含まれているものとみなす。
【図面の簡単な説明】
【００２９】
【図１】本発明にかかる回転機構とそれを具備するハブの好ましい具体的実施例を示す分解図である。
【図２】本発明にかかる回転機構を示す分解図である。
【図３】本発明にかかるハブの他の実施例を示す図である。
【図４】本発明にかかるハブのさらに他の実施例を示す図である。
【符号の説明】
【００３０】
１  ハブ
１１  第１の回動体
１１１  第１の摺動結合部
１３１  第１の位置決め部
１４１  第２の位置決め部
１６１  弾性係止部
１９１  開孔
１４１１  定位凹部
１２  第２の回動体
１１２  開孔
１３２  第３の結合部
１４２  第４の結合部
１３３  弾性片
１３４  当接片
１３  第１の部材
１４  第２の部材
１５  作動貫通孔
１４５  凹リング
１６  締め具
１７  第３の回動体
１８  第４の回動体
１９  摺動体
１０  接続用差込口
１１０  第１の結合部
１２０  第２の結合部
１３０  第１の開孔
１３５  凸リング
１４０  第２の開孔
１６０  当接部
１９０  第２の摺動結合部
１４１０  スライドスロット
【図１】
2008277289.tif 000003
【図２】
2008277289.tif 000004
【図３】
2008277289.tif 000005
【図４】
2008277289.tif 000006